(57)【要約】【課題】広告主が目標とする広告効果や広告収支に基づき、効果的なタイミングで広告媒体情報を提供することのできる技術を提供する。【解決手段】  広告収支管理サーバ６は、広告収支についての利益停止条件を受け付ける広告情報管理部１３ａと、利益停止条件を達成したかを判定する広告収支判定部１３ｂと、広告収支に基づき広告媒体を選択する広告媒体選択部１３ｃとを有し、広告情報配信サーバ５は、広告情報記憶部４６ａと、広告情報抽出部４３ｂと、配信部４３ｃと、広告媒体選択部１３ｃの選択した広告媒体の出稿状況に基づき更に広告媒体を選択する広告媒体情報提供部４３ｆを有し、広告収支が利益停止条件を達成した場合、広告を継続して出稿するかの問合せを行うとともに、広告媒体選択部１３ｃが商品等の売上額の高い広告媒体を選択し、このうち空き、空き予定の広告媒体を選択し広告主端末２に提供する広告媒体提供システム。【選択図】図２
2007109265.tif 000002
【特許請求の範囲】
【請求項１】
ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、
前記広告収支管理サーバは、
前記広告主端末において前記広告主により入力される当該広告主の広告媒体単位での広告収支情報についての利益目標たる利益停止条件を受け付ける広告情報管理手段と、
前記広告収支情報が、前記利益停止条件を達成したか否かを判定する広告収支判定手段と、
前記広告収支情報に基づき広告媒体情報を選択し、前記広告情報配信サーバに送信する広告媒体選択手段とを有し、
前記広告情報配信サーバは、
前記広告情報を記憶する広告情報記憶手段と、
前記広告記憶手段から前記広告情報を抽出する広告情報抽出手段と、
抽出した前記広告情報を前記ユーザ端末宛に配信する配信手段と、
前記広告媒体選択手段の選択した前記広告媒体情報における広告出稿状況を示すステータスに基づき更に広告媒体情報を選択する広告媒体情報提供手段とを有し、
前記広告収支判定手段により、前記広告情報についての前記広告収支情報が前記利益停止条件を達成したと判定された場合、前記広告情報管理手段は、当該広告情報を継続して出稿するか否かの問合せを前記広告主端末に行うとともに、
前記広告媒体選択手段は、前記広告情報の前記広告収支情報より少なくとも広告効果の高い広告収支情報を有する他の広告媒体情報を選択し、前記広告媒体情報提供手段が選択された前記他の広告媒体情報のうちの所定のステータスである広告媒体情報を選択し前記広告主端末に提供することを特徴とする広告媒体情報提供システム。
【請求項２】
前記広告情報の掲載終了前に当該広告情報の掲載終了時の仮想の広告収支情報を作成する仮想収支作成手段を備え、
前記広告収支判定手段により、前記広告情報についての前記広告収支情報が前記利益停止条件額を達成したと判定された場合に、前記仮想収支作成手段は前記仮想の広告収支情報を作成し、
当該仮想の広告収支情報が前記利益停止条件に対して所定の関係を満たす場合に、前記広告媒体選択手段は、前記広告情報についての広告費用が前記仮想の広告収支情報の示す額における仮想のプラス額範囲内の広告媒体情報を選択し前記広告主端末に提供することを特徴とする請求項１に記載の広告媒体情報提供システム。
【請求項３】
前記広告情報管理手段は、広告主が同一の広告商品につき複数の広告媒体に広告を出稿しているか否かを判定し、
前記広告収支判定手段は、同一の広告商品につき複数の広告媒体に広告を出稿していると判定された場合に、前記複数の広告媒体毎に設定された利益停止条件の示す額の累計である広告商品についての利益停止条件を満たしたか否かを判定し、
前記広告情報管理手段は、前記広告商品についての利益停止条件を満たしていると判定された場合、前記複数の広告媒体毎の収支一覧を前記広告主端末に送信することを特徴とする請求項１又は２に記載の広告媒体情報提供システム。
【請求項４】
ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、
前記広告収支管理サーバは、
前記広告主端末において前記広告主により入力される当該広告主の広告媒体単位での前記広告収支情報についての利益目標たる利益停止条件及び損失限度たる損失停止条件を受け付ける広告情報管理手段と、
前記広告収支情報が、前記利益停止条件あるいは前記損失停止条件を達成したか否かを判定する広告収支判定手段と、
前記広告収支情報に基づき広告媒体情報を選択し、前記広告情報配信サーバに送信する広告媒体選択手段とを有し、
前記広告情報配信サーバは、
前記広告情報を記憶する広告情報記憶手段と、
前記広告記憶手段から前記広告情報を抽出する広告情報抽出手段と、
抽出した前記広告情報を前記ユーザ端末宛に配信する配信手段と、
前記広告情報の掲載終了前の所定の日時に前記広告収支管理サーバに通知を行う広告スケジュール管理手段と、
前記広告媒体選択手段の選択した前記広告媒体情報における広告出稿状況を示すステータスに基づき更に広告媒体情報を選択する広告媒体情報提供手段とを有し、
前記広告スケジュール管理手段による通知時に、前記広告収支判定手段により、前記広告情報についての前記広告収支情報が前記損失停止条件を達成したと判定された場合、前記広告媒体選択手段が、前記広告情報の広告費用より少なくとも広告費用の安い他の広告媒体情報を選択し、前記広告媒体情報提供手段が選択された前記他の広告媒体情報のうちの所定のステータスである広告媒体情報を選択し前記広告主端末に提供することを特徴とする広告媒体情報提供システム。
【請求項５】
ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、
前記広告収支管理サーバは、
前記広告主端末において前記広告主により入力される当該広告主の広告媒体単位での広告収支情報についての利益目標たる利益停止条件及び損失限度たる損失停止条件を受け付ける広告情報管理手段と、
前記広告収支情報が、前記利益停止条件あるいは前記損失停止条件を達成したか否かを判定する広告収支判定手段と、
前記広告収支情報に基づき広告媒体情報を選択し、前記広告情報配信サーバに送信する広告媒体選択手段とを有し、
前記広告情報配信サーバは、
前記広告情報を記憶する広告情報記憶手段と、
前記広告情報のうち所定の成果を挙げた過去の広告情報を記憶する広告事例記憶手段と、
前記広告記憶手段から前記広告情報を抽出する広告情報抽出手段と、
抽出した前記広告情報を前記ユーザ端末宛に配信する配信手段と、
前記広告情報の掲載終了前の所定の日時に前記広告収支管理サーバに通知を行う広告スケジュール管理手段と、
前記広告媒体選択手段の選択した前記広告媒体情報における広告出稿状況を示すステータスに基づき更に広告媒体情報を選択する広告媒体情報提供手段とを有し、
前記広告スケジュール管理手段による通知時に、前記広告収支判定手段により、前記広告情報についての前記広告収支情報が前記損失停止条件を達成したと判定された場合、前記広告媒体選択手段が、前記広告情報の広告費用より少なくとも広告費用の安い他の広告媒体情報を選択し、前記広告媒体情報提供手段が選択された前記他の広告媒体情報のうちの所定のステータスである広告媒体情報を選択し前記広告主端末に提供するとともに、
前記広告媒体情報提供手段は、当該広告主端末に提供する広告媒体情報についての前記過去の広告情報を前記広告事例記憶手段より選択して前記広告主端末に提供することを特徴とすることを特徴とする広告媒体情報提供システム。
【請求項６】
ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、
前記広告収支管理サーバは、
前記広告主端末において前記広告主により入力される当該広告主の広告媒体単位での広告収支情報についての利益目標たる利益停止条件及び損失限度たる損失停止条件を受け付ける広告情報管理手段と、
前記広告収支情報が、前記利益停止条件あるいは前記損失停止条件を達成したか否かを判定する広告収支判定手段と、
前記広告収支情報に基づき広告媒体情報を選択し、前記広告情報配信サーバに送信する広告媒体選択手段とを有し、
前記広告情報の掲載終了前に、当該広告情報の掲載終了時の仮想の広告収支情報を作成する仮想収支作成手段と
前記広告情報配信サーバは、
前記広告情報を記憶する広告情報記憶手段と、
前記広告記憶手段から前記広告情報を抽出する広告情報抽出手段と、
抽出した前記広告情報を前記ユーザ端末宛に配信する配信手段と、
前記広告情報の掲載終了前の所定の日時に前記広告収支管理サーバに通知を行う広告スケジュール管理手段と、
前記広告媒体選択手段の選択した前記広告媒体情報における広告出稿状況を示すステータスに基づき更に広告媒体情報を選択する広告媒体情報提供手段とを有し、
前記広告スケジュール管理手段による通知時に、前記仮想収支作成手段が仮想の広告収支情報を作成し、当該仮想の広告収支情報を前記広告主端末に送信するとともに、
前記広告媒体選択手段が、前記仮想の広告収支情報に対して所定の関係である広告媒体情報を選択し、前記広告媒体情報提供手段が選択された前記広告媒体情報のうちの所定のステータスである広告媒体情報を選択し前記広告主端末に提供することを特徴とする広告媒体情報提供システム。
【請求項７】
前記広告情報管理手段は、前記広告情報の掲載終了に伴う前記広告収支情報の確定時において、確定広告収支情報を前記広告主端末に送信するとともに、
前記広告媒体選択手段が、前記確定広告収支情報に対して所定の関係である広告媒体情報を選択し、前記広告媒体情報提供手段が選択された前記広告媒体情報にのうちの所定のステータスである広告媒体情報を選択し前記広告主端末に提供することを特徴とする請求項１〜６の何れか一項に記載の広告媒体情報提供システム。
【請求項８】
広告主が過去に出稿した広告情報についての過去の広告収支情報を記憶する出稿履歴記憶手段と、
前記過去の広告収支情報の示す額に基づき所定の額を算出する効用額算出手段を備え、  前記広告媒体選択手段は、前記所定の額に、前記広告収支情報あるいは前記仮想の広告収支情報あるいは前記確定広告収支情報の示す額を加算した加算額に基づき広告媒体情報を選択し前記広告主端末に送信することを特徴とする請求項１〜７の何れか一項に記載の広告媒体情報提供システム。
【発明の詳細な説明】
【技術分野】
【０００１】
本発明は、インターネット上で広告掲載を希望する広告主に対して、広告主の指定する条件及び広告収支に基づき、広告媒体情報を提供する広告媒体情報提供システムに関する。
【背景技術】
【０００２】
従来、バナー広告やメール広告等のインターネット広告を利用する広告主に対して、次回の広告媒体選定のために広告効果を分析し提示することが行われている。例えば、ユーザによりインターネット広告がクリックされると、複数の広告媒体毎に広告効果測定装置に設定されたリンク先／ダミーＵＲＬにアクセスされた後、広告効果測定装置のアクセス転送機能により、本来のリンク先／原ＵＲＬにアクセスされることで、当該アクセス時のログ情報を広告媒体毎に分析収集をすることができる広告効果測定装置が開示されている。（例えば、特許文献１参照）。
【０００３】
【特許文献１】特開２００２−１３２８１４号公報
【発明の開示】
【発明が解決しようとする課題】
【０００４】
この広告効果測定装置によれば、インターネット広告媒体単位で広告効果を測定することができ、広告主は、インターネット広告毎のクリック数、クリック率等の測定結果に基づき以降の広告戦略を策定することができる。例えば、今回広告を出稿した広告媒体のクリック率が低い場合には、広告主は測定結果を参考として、よりクリック率の高い広告媒体を選定し広告を出稿するといった行動が考えられる。
しかしながら、上述した特許文献１に記載の発明は、単に広告効果の測定結果を広告主に提示するのみであり、各広告主が目標とする広告効果や、広告掲載による広告収支を反映して次回以降の広告媒体情報を提供することはできない。
【０００５】
また、広告主が次回以降の広告戦略を策定するにあたり、現在広告を掲載している広告媒体の掲載終了期限前に、広告効果を把握し次回以降の広告媒体を選定できるようにすることが要請されるが、上記発明によれば広告主が広告効果の測定結果を監視し続ける必要があり、広告主の負担が増大するという問題があった。
【０００６】
本発明は、上記課題に鑑みてなされたもので、各広告主が目標とする広告効果や、広告掲載による広告収支に基づき、効果的なタイミングで広告媒体情報を提供することのできる技術を提供することを目的とする。
【課題を解決するための手段】
【０００７】
上記目的の達成するため、本発明の広告媒体情報提供システムは、ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、前記広告収支管理サーバは、前記広告主端末において前記広告主により入力される当該広告主の広告媒体単位での広告収支情報についての利益目標たる利益停止条件を受け付ける広告情報管理手段と、前記広告収支情報が、前記利益停止条件を達成したか否かを判定する広告収支判定手段と、前記広告収支情報に基づき広告媒体情報を選択し、前記広告情報配信サーバに送信する広告媒体選択手段とを有し、前記広告情報配信サーバは、前記広告情報を記憶する広告情報記憶手段と、前記広告記憶手段から前記広告情報を抽出する広告情報抽出手段と、抽出した前記広告情報を前記ユーザ端末宛に配信する配信手段と、前記広告媒体選択手段の選択した前記広告媒体情報における広告出稿状況を示すステータスに基づき更に広告媒体情報を選択する広告媒体情報提供手段とを有し、前記広告収支判定手段により、前記広告情報についての前記広告収支情報が前記利益停止条件を達成したと判定された場合、前記広告情報管理手段は、当該広告情報を継続して出稿するか否かの問合せを前記広告主端末に行うとともに、前記広告媒体選択手段は、前記広告情報の前記広告収支情報より少なくとも広告効果の高い広告収支情報を有する他の広告媒体情報を選択し、前記広告媒体情報提供手段が選択された前記他の広告媒体情報のうちの所定のステータスである広告媒体情報を選択し前記広告主端末に提供することを特徴とする。
【０００８】
ここで、「広告収支情報」とは、広告による商品等の売上額や、当該売上額から広告費用を減じて得られる利益額を指すのみならず、クリック単価、クリック率、費用対効果等も含む趣旨であり、「広告効果の高い広告収支情報を有する広告媒体情報」とは、売上額の多い広告媒体情報、利益額の多い広告媒体情報、クリック率、クリック単価、費用対効果の高い広告媒体情報である。
【０００９】
かかる構成によると、広告主は、自らの設定した広告の利益目標たる利益停止条件を満たした否かを確認することができ、これに基づいて以降の広告戦略を策定することができる。また、利益停止条件を満たしている場合には、広告掲載終了前のタイミングで、広告情報を継続して出稿するか否かの問合せをすることができ、更に、出稿している広告情報の広告収支情報より少なくとも広告効果の高い広告収支情報を有する他の広告媒体情報を選択し、当該選択した広告媒体情報の広告出稿状況に応じた広告媒体情報を広告主に提供することができる。
また、広告主が広告についての目標を達成し利益を得ている状態で、現在の広告媒体の継続するか否かの問い合わせや、より広告効果の高い別の広告媒体情報（例えば上記のように売上額の多い広告媒体情報）を提供することができるため、広告主は、当該広告媒体に継続して広告を出稿したり、別の広告媒体に新たに広告を出稿する可能性が高いということができ、広告媒体情報を提供する側においても、継続の契約や新たな広告媒体への出稿の契約が成約し易いといえる。
【００１０】
また、上記広告媒体情報提供システムは、前記広告情報の掲載終了前に当該広告情報の掲載終了時の仮想の広告収支情報を作成する仮想収支作成手段を備え、前記広告収支判定手段により、前記広告情報についての前記広告収支情報が前記利益停止条件額を達成したと判定された場合に、前記仮想収支作成手段は前記仮想の広告収支情報を作成し、当該仮想の広告収支情報が前記利益停止条件に対して所定の関係を満たす場合に、前記広告媒体選択手段は、前記広告情報についての広告費用が前記仮想の広告収支情報の示す額における仮想のプラス額範囲内の広告媒体情報を選択し前記広告主端末に提供することを特徴とする。
【００１１】
かかる構成によると、利益停止条件達成時に広告掲載終了時までに更にどの程度の利益を挙げることができるかについての情報を広告主に提供することがきる。また、広告費用が仮想のプラス額範囲内である広告媒体情報を提供することができ、これにより、広告主に対して更なる広告媒体や新規の広告媒体に対して新たに広告を出稿するという選択肢を提供することができる。
【００１２】
また、上記広告媒体情報提供システムは、前記広告情報管理手段は、広告主が同一の広告商品につき複数の広告媒体に広告を出稿しているか否かを判定し、前記広告収支判定手段は、同一の広告商品につき複数の広告媒体に広告を出稿していると判定された場合に、前記複数の広告媒体毎に設定された利益停止条件の示す額の累計である広告商品についての利益停止条件を満たしたか否かを判定し、前記広告情報管理手段は、前記広告商品についての利益停止条件を満たしていると判定された場合、前記複数の広告媒体毎の収支一覧を前記広告主端末に送信することを特徴とする。
【００１３】
かかる構成によると、広告商品単位で利益停止条件に達したことを広告主に通知することができ、これにより、広告主は広告商品について目標とする利益額を達成した際にも以降の広告戦略を策定する機会を得ることできる。
【００１４】
また、上記広告媒体情報提供システムは、ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、前記広告収支管理サーバは、前記広告主端末において前記広告主により入力される当該広告主の広告媒体単位での前記広告収支情報についての利益目標たる利益停止条件及び損失限度たる損失停止条件を受け付ける広告情報管理手段と、前記広告収支情報が、前記利益停止条件あるいは前記損失停止条件を達成したか否かを判定する広告収支判定手段と、前記広告収支情報に基づき広告媒体情報を選択し、前記広告情報配信サーバに送信する広告媒体選択手段とを有し、前記広告情報配信サーバは、前記広告情報を記憶する広告情報記憶手段と、前記広告記憶手段から前記広告情報を抽出する広告情報抽出手段と、抽出した前記広告情報を前記ユーザ端末宛に配信する配信手段と、前記広告情報の掲載終了前の所定の日時に前記広告収支管理サーバに通知を行う広告スケジュール管理手段と、
前記広告媒体選択手段の選択した前記広告媒体情報における広告出稿状況を示すステータスに基づき更に広告媒体情報を選択する広告媒体情報提供手段とを有し、前記広告スケジュール管理手段による通知時に、前記広告収支判定手段により、前記広告情報についての前記広告収支情報が前記損失停止条件を達成したと判定された場合、前記広告媒体選択手段が、前記広告情報の広告費用より少なくとも広告費用の安い他の広告媒体情報を選択し、前記広告媒体情報提供手段が選択された前記他の広告媒体情報のうちの所定のステータスである広告媒体情報を選択し前記広告主端末に提供することを特徴とする。
【００１５】
かかる構成によると、広告主は、自らの設定した広告の損失限度たる損失停止条件を満たした否かを確認することができ、これに基づいて以降の広告戦略を策定することができる。また、広告掲載終了前の所定のタイミングで損失停止条件を満たしている場合には、出稿している広告情報より少なくとも広告費用の安い他の広告媒体情報を選択し、当該選択された広告媒体情報の広告出稿状況に応じた広告媒体情報を広告主に提供することができる。
【００１６】
また、上記広告媒体情報提供システムは、ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、前記広告収支管理サーバは、前記広告主端末において前記広告主により入力される当該広告主の広告媒体単位での広告収支情報についての利益目標たる利益停止条件及び損失限度たる損失停止条件を受け付ける広告情報管理手段と、
前記広告収支情報が、前記利益停止条件あるいは前記損失停止条件を達成したか否かを判定する広告収支判定手段と、前記広告収支情報に基づき広告媒体情報を選択し、前記広告情報配信サーバに送信する広告媒体選択手段とを有し、前記広告情報配信サーバは、前記広告情報を記憶する広告情報記憶手段と、前記広告情報のうち所定の成果を挙げた過去の広告情報を記憶する広告事例記憶手段と、前記広告記憶手段から前記広告情報を抽出する広告情報抽出手段と、
抽出した前記広告情報を前記ユーザ端末宛に配信する配信手段と、前記広告情報の掲載終了前の所定の日時に前記広告収支管理サーバに通知を行う広告スケジュール管理手段と、前記広告媒体選択手段の選択した前記広告媒体情報における広告出稿状況を示すステータスに基づき更に広告媒体情報を選択する広告媒体情報提供手段とを有し、前記広告スケジュール管理手段による通知時に、前記広告収支判定手段により、前記広告情報についての前記広告収支情報が前記損失停止条件を達成したと判定された場合、前記広告媒体選択手段が、前記広告情報の広告費用より少なくとも広告費用の安い他の広告媒体情報を選択し、前記広告媒体情報提供手段が選択された前記他の広告媒体情報のうちの所定のステータスである広告媒体情報を選択し前記広告主端末に提供するとともに、前記広告媒体情報提供手段は、当該広告主端末に提供する広告媒体情報についての前記過去の広告情報を前記広告事例記憶手段より選択して前記広告主端末に提供することを特徴とする。
【００１７】
かかる構成によると、広告掲載終了前の所定のタイミングで損失停止条件を満たしている場合には、出稿している広告情報より少なくとも広告費用の安い他の広告媒体情報を選択し、当該選択された広告媒体情報の広告出稿状況に応じた広告媒体情報を広告主に提供することができるとともに、当該広告媒体における過去の広告情報を広告主に提供することができる。
【００１８】
また、上記広告媒体情報提供システムは、ユーザにより利用可能なユーザ端末と、広告主により利用可能な広告主端末と、前記ユーザ端末に広告情報を配信する広告情報配信サーバと、前記広告情報についての広告収支情報を管理する広告収支管理サーバとがネットワークを介して接続される広告媒体情報提供システムであって、前記広告収支管理サーバは、前記広告主端末において前記広告主により入力される当該広告主の広告媒体単位での広告収支情報についての利益目標たる利益停止条件及び損失限度たる損失停止条件を受け付ける広告情報管理手段と、
前記広告収支情報が、前記利益停止条件あるいは前記損失停止条件を達成したか否かを判定する広告収支判定手段と、前記広告収支情報に基づき広告媒体情報を選択し、前記広告情報配信サーバに送信する広告媒体選択手段とを有し、前記広告情報の掲載終了前に、当該広告情報の掲載終了時の仮想の広告収支情報を作成する仮想収支作成手段と前記広告情報配信サーバは、
前記広告情報を記憶する広告情報記憶手段と、前記広告記憶手段から前記広告情報を抽出する広告情報抽出手段と、抽出した前記広告情報を前記ユーザ端末宛に配信する配信手段と、前記広告情報の掲載終了前の所定の日時に前記広告収支管理サーバに通知を行う広告スケジュール管理手段と、前記広告媒体選択手段の選択した前記広告媒体情報における広告出稿状況を示すステータスに基づき更に広告媒体情報を選択する広告媒体情報提供手段とを有し、前記広告スケジュール管理手段による通知時に、前記仮想収支作成手段が仮想の広告収支情報を作成し、当該仮想の広告収支情報を前記広告主端末に送信するとともに、前記広告媒体選択手段が、前記仮想の広告収支情報に対して所定の関係である広告媒体情報を選択し、前記広告媒体情報提供手段が選択された前記広告媒体情報のうちの所定のステータスである広告媒体情報を選択し前記広告主端末に提供することを特徴とする。
【００１９】
かかる構成によれば、広告掲載終了前の所定のタイミングで、当該広告の広告掲載終了時における仮想の広告収支情報を広告主に提供することができ、広告主はこれに基づき以降の広告戦略を策定することができる。また、仮想の広告収支情報に対して所定の関係である広告媒体情報を選択し、当該選択した広告媒体情報の広告出稿状況に応じた広告媒体情報を広告主に提供することができる。
【００２０】
また、上記広告媒体情報提供システムにおいては、前記広告情報管理手段は、前記広告情報の掲載終了に伴う前記広告収支情報の確定時において、確定広告収支情報を前記広告主端末に送信するとともに、前記広告媒体選択手段が、前記確定広告収支情報に対して所定の関係である広告媒体情報を選択し、前記広告媒体情報提供手段が選択された前記広告媒体情報にのうちの所定のステータスである広告媒体情報を選択し前記広告主端末に提供することを特徴とする。
【００２１】
かかる構成によれば、広告掲載終了時において、当該広告の確定した広告収支情報を広告主に提供することができ、広告主はこれに基づき以降の広告戦略を策定することができる。また、確定した広告収支情報に対して所定の関係である広告媒体情報を選択し、当該選択した広告媒体情報の広告出稿状況に応じた広告媒体情報を広告主に提供することができる。
【００２２】
また、上記広告媒体情報提供システムにおいては、広告主が過去に出稿した広告情報についての過去の広告収支情報を記憶する出稿履歴記憶手段と、前記過去の広告収支情報の示す額に基づき所定の額を算出する効用額算出手段を備え、前記広告媒体選択手段は、前記所定の額に、前記広告収支情報あるいは前記仮想の広告収支情報あるいは前記確定広告収支情報の示す額を加算した加算額に基づき広告媒体情報を選択し前記広告主端末に送信することを特徴とする。
【００２３】
かかる構成によれば、各広告主の過去の広告収支に基づき算出される額を反映した広告媒体情報を提供することができ、広告主毎に最適な広告媒体情報を提供することができる。
【発明の効果】
【００２４】
本発明によれば、各広告主が目標とする広告効果や、広告掲載による広告収支に基づき、効果的なタイミングで広告媒体情報を提供することができる。
【発明を実施するための最良の形態】
【００２５】
本発明の実施形態について、図面を参照して説明する。尚、以下に説明する実施形態は特許請求の範囲に係る発明を限定するものではなく、また実施形態の中で説明されている特徴の組み合わせの全てが本発明の成立に必須であるとは限らない。
【００２６】
図１は、本発明の実施形態に係る広告媒体情報提供システムの構成図である。
【００２７】
広告媒体情報提供システム１においては、広告主により利用可能な広告主端末２と、広告主が商品等の販売を行うＷｅｂページである広告主サイトを提供する広告主サーバ３と、広告主の広告を掲載する広告掲載Ｗｅｂサイトを提供する広告掲載Ｗｅｂサーバ４と、広告情報を配信する広告情報配信サーバ５と、広告主の広告収支を管理する広告収支管理サーバ６と、一般のインターネット利用者の端末７（以下、単にユーザ、ユーザ端末という。）と、が例えば、インターネット等を含むネットワーク８を介して接続されている。本実施形態において広告主端末２及びユーザ端末７は、例えばパーソナルコンピュータ等のコンピュータ、携帯電話端末、ＰＤＡ（Personal Digital Assistant）端末等であってもよい。
【００２８】
図２は、本発明の実施形態に係る広告収支管理サーバの構成図である。広告収支管理サーバ６は、サーバ本体１０と、表示装置１１と、入力装置１２とを有する。
【００２９】
表示装置１１は、例えば、液晶ディスプレイや、ＣＲＴディスプレイ等の画像を表示する装置である。入力装置１２は、例えば、マウス、キーボード等であり、広告収支管理サーバ６の管理者からの入力を受け付けるための装置である。
サーバ本体１０において、ＣＰＵ１３と、ＲＯＭ１４と、ＲＡＭ１５と、ハードディスクドライブ１６と、表示処理部１７と、入力インターフェース１８と、コンボドライブ１９と、通信インターフェース２０とがバス２１を介して接続されている。
【００３０】
ＲＯＭ１４は、ブートプログラム等の基本プログラムを記憶する。
ＲＡＭ１５は、プログラムやデータを記憶する領域として、或いは、ＣＰＵ１３による処理に使用しているデータを格納する作業領域として利用される。
表示処理部１７は、ＣＰＵ１３の制御により、表示装置１１に画像を表示させるための表示用データを生成し、表示装置１１に出力する。
コンボドライブ１９は、複数種類の記録媒体２２からのデータ、プログラムの読み込み、記録媒体２２へのデータ等の書き込みを行う。記録媒体２２としては、例えば、ＣＤ−ＲＯＭ、ＤＶＤ−ＲＯＭ、ＤＶＤ−ＲＡＭ等がある。
【００３１】
ハードディスクドライブ１６は、ＯＳ（オペレーティングシステム）や、各種プログラムや、各種データベースを読み出し可能に記憶し、本実施形態では、ハードディスクドライブ１６は、広告収支管理処理を実行するためのプログラムを記憶する。
また、本実施形態においてハードディスクドライブ１６は、広告主情報記憶部１６ａと、広告収支記憶部１６ｂと、広告収支履歴記憶部１６ｃとして機能する。
【００３２】
ここで、図３（ａ）は、広告主情報記憶部に記憶される広告主情報の一例であり、図３（ｂ）は、広告収支記憶部に記憶される広告収支情報の一例である。
広告主情報記憶部１６ａは、広告主ＩＤと広告主情報を対応付けて記憶する。広告主情報としては、例えば広告主名を格納する広告主名フィールド１６１ａと、広告主のＩＤを格納する広告主ＩＤフィールド１６２ａと、広告主サイトのＩＤを格納する広告主サイトＩＤフィールド１６３ａと、広告主の広告を掲載するサイトのURL(Uniform Resource Locator)を格納する広告掲載元URLフィールド１６４ａと、広告主が広告を出稿している広告媒体のＩＤを格納する広告媒体識別IDフィールド１６５ａと、広告主により設定される広告収支についての利益目標を示す利益停止条件額を格納する利益停止条件額フィールド１６６ａと、広告主により設定される広告収支についての損失限度を示す損失停止条件額を格納する損失停止条件額フィールド１６７ａと、利益停止条件額を達成しているか否かのステータス示すステータスフィールド１６８ａと、を有するレコードを記憶する。
【００３３】
例えば図３（ａ）に示す広告主情報は、広告主名が「株式会社○○ソフト」であり、広告主ＩＤが「１２０８」であり、広告主サイトＩＤが「０００１」であり、広告掲載サイトのＵＲＬが「http://www.abc-computer.co.jp/」であり、広告媒体識別ＩＤが「１１２９」であり、利益停止条件額が「１０万円」であり、損失停止条件額が「−５万円」であり、ステータスが「利益停止条件達成済み」である。
【００３４】
本実施形態においては、利益／損失停止条件額とは、広告主が広告出稿時に設定する当該広告掲載による利益の目標額／損失の限度額である。詳細は後述するが、利益停止条件額とは、広告による利益額が所定額に達した場合に、当該広告を継続して出稿するか否か等の通知を広告主に行う条件となる額であり、損失停止条件額とは、広告による損失額が所定額に達した場合に、当該広告を出稿している広告媒体以外の広告媒体情報等の提供を広告主に行う条件となる額である。
【００３５】
広告収支記憶部１６ｂは、広告媒体識別ＩＤと広告収支情報を対応付けて記憶する。すなわち、広告媒体単位で広告収支情報を記憶する。具体的には、広告媒体識別ＩＤフィールド１６１ｂと、広告種別フィールド１６２ｂと、商品カテゴリフィールド１６３ｂ、商品ＩＤフィールド１６４ｂと、総クリック数フィールド１６５ｂと、商品販売数フィールド１６６ｂと、商品単価フィールド１６７ｂと、１クリック単価フィールド１６８ｂと、広告費用フィールド１６９ｂと、売上額フィールド１７０ｂと、利益額フィールド１７１ｂと、ＲＯＩ（費用対効果）フィールド１７２ｂと、を有するレコードを記憶する。
【００３６】
例えば図３（ｂ）に示す広告収支情報は、広告媒体識別ＩＤが「１１２９」であり、広告種別が「バナー広告」であり、商品カテゴリが「ソフトウェア」であり、商品ＩＤが「０１４７」であり、総クリック数が「４６０回」であり、商品販売数が「５個」であり、商品単価が「２万円」であり、１クリック単価が「１７４円」であり、広告費用が「８万円」であり、売上額が「１０万円」であり、利益額が「２万円」であり、ＲＯＩが「１２５％」である。
【００３７】
また、広告収支記憶部１６ｂのレコードは、各広告主の広告主ＩＤと対応付けて記憶されており、広告主は、広告主端末２の操作により、広告収支管理サーバ６に広告主ＩＤ及びパスワードを送信することによって、当該広告主の専用ページにアクセスすることができ、広告主専用ページにおいて自らが現在出稿している広告の収支情報を、広告収支記憶部１６ｂの各フィールドに対応した項目毎に一覧化されたリストとして確認することができる。
【００３８】
広告収支履歴記憶部１６ｃは、広告媒体識別ＩＤと広告収支履歴を対応付けて記憶する。すなわち、広告媒体単位で広告の収支履歴を記憶する。具体的には、広告媒体識別ＩＤと、過去に広告媒体に出稿した広告毎の利益額あるいは損失額と、過去に広告媒体に出稿した全ての広告の平均利益額と、直近の過去半年間の平均利益額と、平均ＲＯＩと、を記憶する。
【００３９】
図２に戻り、入力インターフェース１８は、入力装置１２と接続されており、入力装置１２からの信号をデータとして、ＣＰＵ１３に渡す。
通信インターフェース２０は、外部の装置とのデータのやりとりの仲介を行う。本実施形態では、通信インターフェース２０は、ネットワーク８と接続されており、ネットワーク８を介して、広告主端末２、広告主サーバ３、広告掲載Ｗｅｂサーバ４、広告情報配信サーバ５、ユーザ端末７、との間でデータのやりとりを行う。
【００４０】
ＣＰＵ１３は、ＲＯＭ１４の基本プログラムやハードディスクドライブ１６に格納されているＯＳやプログラムをＲＡＭ１５に読み出して実行することにより各種処理を実行する。また、ＣＰＵ１３は、各部１４〜２０の動作を制御する。
本実施形態では、ＣＰＵ１３が、ハードディスクドライブ１６に格納されたプログラムを実行することにより、広告情報管理部１３ａ、広告収支判定部１３ｂ、広告媒体選択部１３ｃ、仮想収支作成部１３ｄ、として機能する。
【００４１】
広告情報管理部１３ａは、広告主の広告出稿時に、広告主名、広告掲載サイトのＵＲＬ、広告媒体識別ＩＤ、利益停止条件額、損失停止条件額等の広告主情報を受付け、広告主に対して広告主ＩＤ及び広告主サイトのＩＤを付与する。
【００４２】
また、ユーザが広告掲載サイトの広告情報にアクセスをし、広告主サイトが要求されると、広告主サイトにおいて埋め込まれたタグが起動し、広告掲載サイトのＵＲＬ、広告媒体識別ID及び広告主IDが広告収支管理サーバ６に送信されるが、広告情報管理部１３ａは、これを受信し、広告主情報記憶部１６ａに登録された広告掲載サイトのＵＲＬ及び広告媒体識別IDであるか否かの確認をし、登録されているものであれば、ユーザ端末に対して登録された広告掲載サイトＵＲＬ、広告媒体識別ＩＤ及び広告主サイトのＩＤをクッキーとして発行し保存する。
尚、ユーザが広告掲載サイト以外のＷｅｂページより、広告主サーバ３の広告主サイトへ接続してきた場合は、接続元のＵＲＬは広告主情報記憶部１６ａには登録されていないので、広告情報管理部１３ａはユーザに対してクッキーの発行は行わない。
【００４３】
また、広告情報管理部１３ａは、広告収支記憶部１６ｂに記憶された広告収支情報の各フィールド１６１ｂ〜１７２ｂの更新を行う。
また、広告情報管理部１３ａは、広告主に対して、現在出稿している広告の広告掲載期間終了後においても、現在の広告媒体に継続して広告を出稿するか否かの問合せ、あるいは、おすすめ広告媒体情報等を広告主端末２に送信する。その他、広告情報管理部１３ａは、広告主が現在出稿している広告の広告商品と同一の商品につき他の広告を出稿しているか否かを判定する。
【００４４】
広告収支判定部１３ｂは、広告掲載期間中において、広告主情報記憶部１６ａ及び広告収支記憶部１６ｂを参照し、各広告主の広告媒体単位での広告収支が、広告主の設定した利益停止条件額あるいは損失停止条件額を超えるか否かの判定を行う。
また、広告収支判定部１３ｂは、利益停止条件達成時に、仮想収支作成部１３ｄにより作成される仮想広告収支額が利益停止条件額に対して所定の関係（例えば、本実施形態においては、仮想広告収支額が利益停止条件額の２倍以上）であるか否かを判定する。
【００４５】
また、広告収支判定部１３ｂは、広告主情報記憶部１６ａ及び広告収支記憶部１６ｂを参照し、後述する広告商品についての商品利益停止条件額を達成したか否かを判定する。
また、広告収支判定部１３ｂは、広告掲載期間終了時において、当該広告掲載終了に係る広告の広告収支が所定の成果を挙げたものであるか否かの判定を行う。
【００４６】
広告媒体選択部１３ｃは、広告収支記憶部１６ｂを参照して、広告主が現在出稿している広告の広告収支あるいは仮想広告収支に応じた広告媒体情報を複数選択する。例えば、本実施形態においては、広告主の現在出稿している広告の広告収支が、広告主の設定した利益停止条件額を超え、当該広告において広告主の期待する以上の利益を上げている場合には、広告費用を考慮することなく、売上額フィールド１７０ｂを参照して単純に売上額の多い順に広告媒体情報を複数選択する。
【００４７】
仮想収支作成部１３ｄは、利益停止条件達成時に、広告掲載期間終了時における仮想の広告収支を算出する。また、仮想収支作成部１３ｄは、広告情報配信サーバ５の広告スケジュール管理部４３ｅ（図４参照）より、広告掲載期間終了の所定日数前に通知を受け、広告掲載期間終了時における仮想の広告収支を算出する。
【００４８】
図４は、本発明の実施形態に係る広告情報配信サーバの構成図である。
広告情報配信サーバ５のハードウェア構成は、図２に示す広告収支管理サーバ６のハードウェア構成とほぼ同様の構成であり、サーバ本体４０と、画像を表示する表示装置４１と、広告情報配信サーバ管理者からの入力を受け付けるための入力装置４２とを有する。
【００４９】
サーバ本体４０において、ＣＰＵ（Central Processing Unit）４３と、ＲＯＭ（Read Only Memory）４４と、ＲＡＭ（Random Access Memory）４５と、ハードディスクドライブ４６と、表示処理部４７と、入力インターフェース４８と、コンボドライブ４９と、通信インターフェース５０とがバス５１を介して接続されている。
【００５０】
ＣＰＵ４３、ＲＯＭ４４、ＲＡＭ４５、ハードディスクドライブ４６、表示処理部４７、入力インターフェース４８、コンボドライブ４９の基本的な機能については、広告収支管理サーバ６における各ハードウェアと同様に機能する。
【００５１】
通信インターフェース５０は、外部の装置とのデータのやりとりの仲介を行う。本実施形態では、通信インターフェース５０は、ネットワーク８と接続されており、ネットワーク８を介して、広告主端末２、広告主サーバ３、広告掲載Ｗｅｂサーバ４、広告収支管理サーバ６、ユーザ端末７との間でデータのやりとりを行う。
【００５２】
ハードディスクドライブ４６は、ＯＳ（オペレーティングシステム）や、各種プログラムや、各種データベースを読み出し可能に記憶し、本実施形態では、ハードディスクドライブ４６は、広告情報配信処理を実行するためのプログラムを記憶する。
また、本実施形態においてハードディスクドライブ４６は、広告情報記憶部４６ａと、広告事例記憶部４６ｂとして機能する。
【００５３】
広告情報記憶部４６ａは、ユーザ端末７に配信するための広告情報を記憶する。図５は、本発明の実施形態に係る広告の一例を示す図である。
広告情報記憶部４６ａは、広告ＩＤを格納する広告ＩＤフィールド４６１ａと、広告を掲載する広告掲載サイトのＵＲＬを格納する広告掲載元フィールド４６２ａと、広告媒体を特定するための広告媒体識別IDを格納する広告媒体識別IDフィールド４６３ａと、画像を格納する画像フィールド４６４ａと、広告の見出し（キャプション）を格納するキャプションフィールド４６５ａと、広告主サイトのＵＲＬを格納する飛び先フィールド４６６ａと、広告のジャンルを格納するジャンルフィールド４６７ａと、広告対象の商品またはサービス名を格納する商品名フィールド４６８ａと、広告対象の商品またはサービスの価格を格納する商品価格フィールド４６９ａと、広告の掲載期間を格納する広告掲載期間フィールド４７０ａと、広告媒体の空き状況等を示す広告媒体ステータスフィールド４７１ａとを有するレコードを複数記憶する。
【００５４】
例えば図５に示す広告情報は、広告ＩＤが「０２３５」であり、広告掲載サイトのＵＲＬが「http://www.abc-computer.co.jp/」であり、広告媒体識別IDが「１１２９」であり、画像が「○×ソフトの画像」であり、キャプションが「このソフトは、標準的なグラフィックソフトです。」であり、飛び先が「http://www.A-softwere.co.jp/」であり、ジャンルは「ソフトウェア」であり、商品名は「グラフィックソフト」であり、商品価格は「２万円」であり、広告掲載期間は「２００６.１．０１−２００６.１．３０」であり、広告媒体ステータスは「空き予定」である。
【００５５】
図４に戻り、広告事例記憶部４６ｂは、広告掲載期間終了時に所定の成果を挙げた広告を成功広告事例として、当該広告の出稿例と広告収支情報とを関連付けて記憶する。
【００５６】
また本実施形態では、ＣＰＵ４３が、ハードディスクドライブ４６に格納されたプログラムを実行することにより、各部４４〜５０の動作を制御し、広告情報受付部４３ａと、広告情報抽出部４３ｂと、配信部４３ｃと、詳細要求対応部４３ｄと、広告スケジュール管理部４３ｅと、広告媒体情報提供部４３ｆと、広告事例登録部４３ｇとして機能する。
【００５７】
広告情報受付部４３ａは、広告主から出稿する広告内容等の広告情報を受信し、当該広告情報を広告情報記憶部４６ａに格納する。また、広告主に対して、広告掲載サイトのＵＲＬや広告媒体識別ＩＤ等の情報を送信する。
広告情報抽出部４３ｂは、広告情報記憶部４６ａより広告情報を抽出する。
配信部４３ｃは、広告情報抽出部４３ｂにより抽出された広告情報をユーザ端末７宛に送信する。
詳細要求対応部４３ｄは、ユーザにより詳細要求をされた広告情報に対応する広告主サイトのＵＲＬ及び広告媒体識別IDを、詳細要求元のユーザ端末７に対して送信する。
【００５８】
広告スケジュール管理部４３ｅは、広告掲載期間の管理を行い、広告掲載期間終了の所定日数前には、広告収支管理サーバ６の仮想収支作成部１３ｄに、広告掲載期間終了の所定日数前となった広告の広告掲載サイトURL、広告媒体識別ID、広告掲載期間日数、広告掲載経過日数を送信する。
【００５９】
また、広告スケジュール管理部４３ｅは、広告主より、当該広告主が現在出稿している広告を継続して出稿するか否か通知を受付け、広告情報記憶部４６ａの広告媒体ステータスフィールド４７１ａの更新を行う。具体的には、広告主より継続して広告を出稿する旨の通知を受けた場合には、広告媒体ステータスフィールド４７１ａを継続予定に更新する。また、広告主より現在出稿している広告を取りやめる旨の通知を受けると、広告媒体ステータスフィールド４７１ａを空き予定に更新する。その他、現在何の広告も掲載されていない広告媒体についての広告媒体ステータスフィールド４７１ａを空きに更新する。また、広告スケジュール管理部４３ｅは、広告掲載期間終了時に、広告掲載サイトのURL及び広告媒体識別IDを広告収支管理サーバ６の広告収支判定部１３ｂに送信する。
【００６０】
広告媒体情報提供部４３ｆは、広告収支管理サーバ６の広告媒体選択部１３ｃが選択した広告媒体情報を受信し、広告情報記憶部４６ａの広告媒体ステータスフィールド４７１ａを参照して、受信した広告媒体情報のうち現在空き状況である広告媒体情報及び空き予定状況のある広告媒体情報を選択し、広告収支管理サーバ６の広告情報管理部１３ａに送信する。
また、広告媒体情報提供部４３ｆは、広告事例記憶部４６ｂに記憶された過去の広告事例を広告収支管理サーバ６に送信する。
【００６１】
広告事例登録部４３ｇは、広告掲載期間終了時に、広告掲載期間終了に係る広告の広告掲載サイトのURL、広告媒体識別ID及び広告収支情報を、広告収支管理サーバ６の広告収支判定部１３ｂより受信し、当該ＵＲＬ、ＩＤにより特定される広告の出稿例及び収支情報を対応付けて広告事例記憶部４６ｂに記憶する。
【００６２】
続いて、以下に本発明の実施形態に係る広告媒体情報提供システムの広告媒体情報の提供の流れについて図６〜図９を用いて説明する。図６は、本発明の実施形態に係る広告媒体情報提供処理の流れを示す第１のシーケンス図であり、図７は、本発明の実施形態に係る広告媒体情報提供処理の流れを示す第２のシーケンス図であり、図８は、本発明の実施形態に係る広告媒体情報提供処理の流れを示す第３のシーケンス図であり、図９は、本発明の実施形態に係る広告媒体情報提供処理の流れを示す第４のシーケンス図である。
尚、以下の説明は、ユーザが広告掲載Ｗｅｂサイトより広告主サイトにアクセスした場合を説明するものであり、広告掲載Ｗｅｂサイト以外より広告主サイトにアクセスする場合には除くものである。
【００６３】
先ず、広告主は、広告主端末２の操作により出稿する広告内容等の情報を広告情報配信サーバ５の広告情報受付部４３ａに送信する（ステップＳ１）。広告情報受付部４３ａは、受信した広告情報を広告情報記憶部４６ａに格納し（ステップＳ２）、広告主端末２に広告掲載サイトのＵＲＬ、広告媒体識別ＩＤ等の情報を送信する（ステップＳ３）。また、広告主は、広告主情報として広告主名、広告掲載サイトのＵＲＬ、広告媒体識別ＩＤ等の情報を、広告収支管理サーバ６の広告情報管理部１３ａに送信する（ステップＳ４）。広告情報管理部１３ａは、受信した広告主情報を広告主情報記憶部１６ａに格納し（ステップＳ５）、広告主端末２に広告主ＩＤ、広告主サイトＩＤを送信する（ステップＳ６）。
【００６４】
続いて、図７に進み、ユーザがユーザ端末７の入力装置の操作により広告掲載Ｗｅｂサーバ４にアクセスをする（ステップＳ７）と、広告掲載Ｗｅｂサイトのページがユーザ端末７に送信される（ステップＳ８）とともに、広告情報配信サーバ５に広告画像等の要求がされる（ステップＳ９）。広告情報配信サーバ５においては、広告情報抽出部１３ｃが、広告情報抽出処理を実行し（ステップＳ１０）、配信部１３ｄが広告情報抽出処理において抽出された広告画像等をユーザ端末７に送信する（ステップＳ１１）。
【００６５】
ユーザ端末７において広告情報が表示されると、ユーザ端末７の入力装置のユーザ操作により、表示装置に表示された広告情報に対しての詳細情報を要求する指示、例えば、広告情報に対してのクリック操作があったか否かが判定される（ステップＳ１２）。広告情報へのクリックがあった場合（ステップＳ１２のＹＥＳ）、広告情報配信サーバ５に詳細要求が送信され（ステップＳ１３）、詳細要求対応部４３ｄは、クリックされた広告情報に対応する広告主サイトのＵＲＬ及び広告媒体識別ＩＤをユーザ端末７に送信する（ステップＳ１４）。そして、ユーザ端末７より当該ＵＲＬのページを格納している広告主サーバ３に対して、広告媒体識別ＩＤとともに広告主サイトのページ要求が送信される（ステップＳ１５）。
【００６６】
この要求を受けた広告主サーバ３は、広告主サイトのページを、要求元のユーザ端末７に送信する（ステップＳ１６）。ユーザ端末７では、広告主サーバ３から広告主サイトのページを受信し、表示処理が行われて表示装置に広告主サイトのページが表示される。一方、広告情報へのクリックがなかった場合（ステップＳ１２のＮＯ）、以降の処理は行われない。
【００６７】
また、広告主サーバ３においては、広告収支管理サーバ６に情報を送信するために広告主サイトに埋め込まれたタグが起動（ステップＳ１７）し、リンク元の広告掲載サイトのＵＲＬ、広告媒体識別ＩＤ及び広告主ＩＤが広告収支管理サーバ６に送信される（ステップＳ１８）。
【００６８】
広告収支管理サーバ６において広告掲載サイトのＵＲＬ、広告媒体識別ＩＤ及び広告主ＩＤを受信すると、広告情報管理部１３ａは、受信した広告掲載サイトのＵＲＬ及び広告媒体識別ＩＤが、当該広告収支管理サーバ６に登録された広告掲載サイトのＵＲＬ及び広告媒体識別ＩＤであるかの確認をし、登録されているものであれば、ユーザ端末７に登録された広告掲載サイトのＵＲＬ、広告媒体識別ID及び広告主サイトＩＤをクッキーとして発行し保存する（ステップＳ１９）。
【００６９】
図８に進み、広告情報管理部１３ａは、リンク元の広告掲載サイトのＵＲＬ、広告媒体識別ＩＤ及び広告主ＩＤに対応する広告収支記憶部１６ｂの総クリック数フィールド１６５ｂのクリック数を１加算し、これに応じて１クリック単価フィールド１６８ｂの更新を行う（ステップＳ２０）。
続いて、ユーザが広告主サイトにおいて商品等の購入を行ったか否かが判定され（ステップＳ２１）、商品等の購入がされた場合、ユーザ端末７のクッキーに記録された広告掲載サイトのＵＲＬ、広告媒体識別ＩＤ及び広告主サイトのＩＤが、広告収支管理サーバ６の広告情報管理部１３ａに送信される（ステップＳ２２）。そして、これにより特定される広告の広告収支記憶部１６ｂにおける商品販売数フィールド１６６ｂを更新する。また、これに応じて１クリック単価フィールド１６８ｂ、売上額フィールド１７０ｂ、利益額フィールド１７１ｂ、及びＲＯＩフィールド１７２ｂの更新を行う（ステップＳ２３）。
【００７０】
広告情報管理部１３ａにより利益額フィールド１７１ｂの更新がされると、広告収支判定部１３ｂは、広告主情報記憶部１６ａ及び広告収支記憶部１６ｂを参照し、今回の利益額フィールド１７１ｂ更新により、利益額が、当該広告主における利益停止条件額を超えるか否かを判定する（ステップＳ２４）。この際、広告主情報記憶部１６ａのステータスフィールド１６８ａを参照し、既に利益停止条件が達成されている場合にはこの判定を行わない。
【００７１】
広告収支判定部１３ｂは、利益額フィールド１７１ｂの今回更新により、広告主の設定した利益停止条件額を超えたと判定した場合には、広告主情報記憶部１６ａのステータスフィールド１６８ａを利益停止条件達成済みに更新する（ステップＳ２５）。
【００７２】
次に、広告媒体選択部１３ｃが、広告収支記憶部１６ｂを参照して、現在出稿中の広告と商品カテゴリが一致する広告のうち、例えば広告費用を考慮することなく、売上額フィールド１７０ｂを参照して単純に売上額の多い広告媒体情報を順に複数選択し、選択した広告媒体情報の広告媒体識別ＩＤを広告情報配信サーバ５の広告媒体情報提供部４３ｆに送信する（ステップＳ２６）。
【００７３】
広告媒体情報提供部４３ｆは、広告情報記憶部４６ａの広告媒体ステータスフィールド４７１ａを参照し、受信した広告媒体情報のうち現在空き状況である広告媒体情報及び空き予定状況のある広告媒体情報を広告情報管理部１３ａに送信する（ステップＳ２７）。広告情報管理部１３ａは、この空き、あるいは空き予定の広告媒体情報を、おすすめ広告媒体情報として広告主端末２に送信するとともに、広告掲載期間終了後においても現在の広告媒体に継続して広告を出稿するか否かの問合せも広告主端末２に送信する（ステップＳ２８）。一方、ステップＳ２４において、今回更新により利益停止条件額を超えていないと判定された場合（ステップＳ２４のＮＯ）にはステップＳ３６に進む。
【００７４】
ここで、図１２は、本発明の実施形態に係る広告を継続して出稿するか否かの問合せ及びおすすめ広告媒体情報の広告主端末における表示例である。本実施形態においては、ステップＳ２８の処理により広告主端末２に送信される問合せ及び広告媒体情報は、広告主端末２の表示装置において、それぞれ問合せ表示領域７０、広告媒体情報表示領域７１に表示され、広告主は並列して確認することできる。また、広告主は、問合せ表示領域７０の継続選択ボタン７２あるいは非継続選択ボタン７３を操作することにより、現在の広告媒体に継続して広告を出稿するか否かを選択することができる。また、問合せ表示領域７０には、利益停止条件額を達成した旨の表示がされる。
【００７５】
広告媒体情報表示領域７１には、提供された広告媒体への広告出稿を決定する出稿選択ボタン７４と、非出稿選択ボタン７５が形成され、これにより広告主は新たな広告媒体へ広告を出稿するか否かを選択することができる。
尚、おすすめ広告媒体情報の表示例はこれに限られず、複数のおすすめ広告媒体情報を表示できるようにし、これをランキング形式で表示するようにしてもよい。
【００７６】
図８に戻り、広告主端末２において、広告掲載期間終了後にも現在の広告媒体に継続して広告を出稿するか否かが決定され、当該更新情報が広告情報配信サーバ５に送信されると（ステップＳ２９）、広告スケジュール管理部４３ｅは、広告情報記憶部４６ａの広告媒体ステータスフィールド４７１ａを更新情報に応じて、それぞれ継続予定／空き予定に更新する（ステップＳ３０）。
尚、広告主端末２において商品等の購入が行われない場合（ステップＳ２１のＮＯ）、ステップＳ１２に戻る。また、ステップＳ２４において、今回更新により利益停止条件額を超えていないと判定された場合（ステップＳ２４のＮＯ）にはステップＳ３６に進む。
【００７７】
これにより、広告主は自らの設定した広告効果目標である利益停止条件額を達成したことを確認することができ、これに基づき以降の広告戦略を策定することができる。すなわち、各広告主は自らの広告効果目標に応じて、効果的なタイミングで以降の広告戦略を策定することができる。
また、当該広告において利益が生じていても継続して広告を出稿しない場合や、更に並列的に広告を出稿する場合を考慮して、今回の広告における広告収支（利益）に応じた広告媒体情報を広告主に提供することができる。例えば、上述のように広告費用を考慮することなく広告媒体情報を提供した場合であっても、広告主は現在出稿中の広告において目標とする利益を得ている状態であり、商品等の売上額が現在より高くなる可能性のある広告媒体であれば、広告費用が高い広告媒体であっても当該広告媒体へ広告の出稿を行う可能性が高いといえる。
【００７８】
続いて、図９に進み、仮想収支作成部１３ｄが仮想広告収支を作成する（ステップＳ３１）。仮想収支作成の具体例については後述するが、仮想収支作成方法としては、例えば、利益停止条件額の達成時点で、利益停止条件達成時までの一日当たりの商品平均販売数を算出し、これに広告掲載期間日数を乗じることで広告掲載終了時の仮想の商品販売数を算出する。この仮想の商品販売数に商品単価を乗じることで、仮想売上額が得られ、仮想売上額から広告費用を減じることにより仮想広告収支を作成するものとする。
【００７９】
次に、広告収支判定部１３ｂは、広告主情報記憶部１６ａの利益停止条件額フィールド１６７ａを参照し、仮想広告収支額が利益停止条件額の２倍以上であるか否かを判定する（ステップＳ３２）。この結果、仮想広告収支額が利益停止条件額の２倍以上であると判定された場合（ステップＳ３２のＹＥＳ）、広告媒体選択部１３ｃは、広告収支履歴記憶部１６ｃを参照して、例えば、広告費用が仮想広告収支額における仮想のプラス額範囲内の広告媒体情報を広告費用の高い順に複数選択し、選択した広告媒体情報の広告媒体識別ＩＤを広告情報配信サーバ５の広告媒体情報提供部４３ｆに送信する（ステップＳ３３）。
【００８０】
広告媒体情報提供部４３ｆは、広告情報記憶部４６ａの広告媒体ステータスフィールド４７１ａを参照し、受信した広告媒体情報のうち現在空き状況である広告媒体情報及び空き予定状況のある広告媒体情報を広告収支管理サーバ６の広告情報管理部１３ａに送信する（ステップＳ３４）。広告情報管理部１３ａは、この空き、あるいは空き予定の広告媒体情報を、おすすめ広告媒体情報として広告主端末２に送信するとともに、これまでに広告収支実績のない新規の広告媒体情報も併せて送信する（ステップＳ３５）。一方、ステップＳ３２において、仮想広告収支額が利益停止条件額の２倍以上でないと判定された場合には（ステップＳ３２のＮＯ）、ステップＳ３６に進む。
尚、広告費用が仮想広告収支額における仮想のプラス額範囲内の広告媒体情報を選択するものとしたが、その他、直近の過去半年間における平均利益額の高い広告媒体情報を選択するようにしてもよい。
【００８１】
このように、利益停止条件額を達成し、更に広告掲載終了時までに更なる大幅な利益が見込まれる場合にあっては、利益停止条件額達成時のおすすめ広告媒体情報に加えて別の広告媒体情報を提供するようにする。この場合、広告主は、仮想広告収支額のプラス額分については効用が逓減しているものと推測することができ、例えば、更に利益の上がる広告媒体や新規の広告媒体に対しても新たに広告を出稿する可能性がより高いということができる。
【００８２】
続いて、広告情報管理部１３ａは、広告収支記憶部１６ｂの商品ＩＤフィールド１６４ｂを参照し、広告主が現在出稿している広告の広告商品と同一の商品につき他の広告媒体に広告の出稿があるか否かを判定する（ステップＳ３６）。同一の商品について他の広告媒体に広告を出稿中であると判定された場合（ステップＳ３６のＹＥＳ）、広告収支判定部１３ｂが、広告主情報記憶部１６ａ及び広告収支記憶部１６ｂを参照し、今回の利益額フィールド１７１ｂの更新により、広告商品についての利益停止条件額（以下、商品利益停止条件額という。）を達成したか否かを判定する（ステップＳ３７）。
【００８３】
ここで、商品利益停止条件額とは、広告媒体毎に設定される利益停止条件額の累計の額をいうものである。例えば、広告商品Ａに関して広告媒体Ｂ及び広告媒体Ｃに広告を出稿している場合であって、広告媒体Ｂについての利益停止条件額が１０万円、広告媒体Ｃについての利益停止条件額が５万円である場合は、広告商品Ａについての商品利益停止条件額は１５万円となる。
【００８４】
商品利益停止条件額を達成したと判定された場合（ステップＳ３７のＹＥＳ）、広告情報管理部１３ａは、同一商品につき広告を出稿している複数の広告媒体毎の収支一覧を含む商品収支情報を広告主端末２に送信する（ステップＳ３８）。一方、ステップＳ３７、ステップＳ３８において、同一の商品について他の広告媒体に広告を出稿中でないと判定された場合、商品利益停止条件額を達成していないと判定された場合には、ステップＳ１２に戻る。
【００８５】
上記の例においては、例えば、広告媒体Ｂについての広告は、利益停止条件額を超えて１６万円の利益を上げている場合には、広告媒体Ｃについての広告が１万円の損失を出している場合であっても、商品Ａについての商品利益停止条件額１５万円が達成されており、これを商品収支情報として広告主に通知することができる。
【００８６】
これにより、広告主は、広告媒体単位での広告収支に加え広告商品単位での収支を把握することができ、広告商品についての目標利益額である商品利益停止条件額を達成した際にも以降の広告戦略を策定することができる。
【００８７】
次に、広告掲載期間が終了した場合の広告媒体情報の提供の流れについて図１０を用いて説明する。図１０は、本発明の実施形態に係る広告掲載期間終了後における広告媒体情報提供処理の流れを示すシーケンス図である。
【００８８】
広告掲載期間が終了すると、広告情報配信サーバ５においては、広告スケジュール管理部４３ｅが、広告掲載サイトのＵＲＬ及び広告媒体識別ＩＤを広告収支管理サーバ６の広告収支判定部１３ｂに送信する（ステップＳ１０１）。
【００８９】
広告収支判定部１３ｂは、広告収支記憶部１６ｂのＲＯＩフィールド１７２ｂを参照し、受信した広告掲載サイトのＵＲＬ及び広告媒体識別ＩＤにより特定される広告の広告収支が、所定の成果（例えば、ＲＯＩが１５０％以上の成果を挙げた広告。）を挙げたものであるか否かを判定する（ステップＳ１０２）。所定の成果を挙げたものと判定した場合（ステップＳ１０２のＹＥＳ）、広告情報配信サーバ５の広告事例登録部４３ｇに、当該広告の広告掲載サイトのＵＲＬ、広告媒体識別ＩＤに広告収支情報を加えて送信する（ステップ１０３）。
【００９０】
広告事例登録部４３ｇは、広告収支判定部１３ｂより受信した広告掲載サイトのＵＲＬ及び広告媒体識別ＩＤにより特定される広告の、広告出稿例と広告収支情報とを対応付けて広告事例記憶部４６ｂに記憶する（ステップＳ１０４）。
一方、広告収支が所定の成果を挙げていないものと判定された場合においては（ステップＳ１０２のＮＯ）、ステップＳ１０３及びステップＳ１０４の処理は行われない。
【００９１】
そして、広告掲載期間の終了により最終的な広告収支が確定すると、広告収支管理サーバ６においては、広告媒体選択部１３ｃが、広告収支記憶部１６ｂを参照して、今回出稿の広告と商品カテゴリが一致する広告のうち、例えば確定した広告収支額が大幅にマイナスである場合には、現在より広告費用が安い広告媒体情報を複数選択し、選択した広告媒体情報の広告媒体識別ＩＤを広告情報配信サーバ５の広告媒体情報提供部４３ｆに送信する（ステップＳ１０５）。
【００９２】
広告媒体情報提供部４３ｆは、広告情報記憶部４６ａの広告媒体ステータスフィールド４７１ａを参照し、受信した広告媒体情報のうち現在空き状況である広告媒体情報及び空き予定状況のある広告媒体情報を広告情報管理部１３ａに送信する（ステップＳ１０６）。広告情報管理部１３ａは、この空き、あるいは空き予定の広告媒体情報を、おすすめ広告媒体情報として広告主端末２に送信するとともに、確定した広告収支を広告主端末２に送信する（ステップＳ１０７）。
【００９３】
尚、広告収支の確定時において、既に現在の広告媒体に継続して広告を出稿することが決定している場合には、上述のように確定した広告収支に基づいて選択される広告媒体情報は広告主に提供されず、広告情報管理部１３ａにより、現在の広告媒体に継続して広告を出稿する旨の確認が改めて行われる。この際、広告主は広告主端末２の操作により、継続して出稿する広告の新たな利益停止条件額あるいは損失停止条件額を設定することができる。また、出稿する広告内容の変更等も行うことができる。
【００９４】
これにより、広告収支の確定時において、当該広告における広告収支に応じた広告媒体情報を広告主に提供することができる。すなわち、各広告主は今回の広告収支に応じて以降の広告戦略を策定することができる。
従って、例えば今回の広告収支額が大幅にマイナスである広告主に対しても、広告費用等を考慮せずに一様に広告効果の高い広告媒体情報を提供する従来例とは異なり、広告主に対してより幅広い選択肢を提供することができる。
【００９５】
次に、図１１を参照して広告掲載期間終了の所定日数前の通知時における広告媒体提供処理について説明する。図１１は、本発明の実施形態に係る広告掲載期間終了の所定日数前の通知時における広告媒体情報提供処理の流れを示すシーケンス図である。
【００９６】
先ず、広告情報配信サーバ５において、広告掲載期間終了の所定日数前（本実施形態においては、例えば、広告掲載期間の２／３経過とする。）になると、広告スケジュール管理部４３ｅが、広告収支管理サーバ６の仮想収支作成部１３ｄに、広告掲載期間終了の所定日数前となった広告の広告掲載サイトのＵＲＬ、広告媒体識別ＩＤ、広告掲載期間日数、広告掲載経過日数を送信する（ステップＳ２０１）。
【００９７】
これを受信した仮想収支作成部１３ｄは、広告掲載サイトのＵＲＬ及び広告媒体識別ＩＤにより特定される広告の広告掲載期間終了時における仮想の広告収支を算出する仮想収支作成処理を行う（ステップＳ２０２）。
【００９８】
ここで、図３（ａ）、図３（ｂ）及び図５を参照して仮想収支作成例について説明する。
図５に示す広告の広告掲載期間日数は、３０日間であり、広告掲載後２０日経過した時点で仮想広告収支を作成する旨の通知がなされる。図３（ａ）に示した、広告掲載サイトのＵＲＬ「http://www.abc-computer.co.jp/」及び広告媒体識別ＩＤ「１１２９」により特定される広告が、図３（ｂ）に示したように通知時点での商品の販売数が「５個」である場合、販売数（５個）÷経過日数（２０日）を算出すると、一日当たりの平均販売数（０．２５）を得ることができ、これを広告掲載期間日数（３０日）に乗じると、広告掲載期間終了時における仮想の商品販売数（７．５個）を得ることができる。この広告の商品単価は、「２万円」であり、これに仮想の商品販売数（７．５個）を乗ずることで、仮想売上額（１５万円）を得ることができ、広告費用（８万円）を減算し、仮想広告収支（７万円）を作成することができる。
【００９９】
図１１に戻り、仮想収支作成部１３ｄにより仮想広告収支が作成されると、広告収支判定部１３ｂが、広告主情報記憶部１６ａのステータスフィールド１６８ａを参照し、既に利益停止条件が達成されているか否かを判定する（ステップＳ２０３）。既に利益停止条件が達成されている場合（ステップＳ２０３のＹＥＳ）には、仮想収支作成部１３ｄより広告主端末２に仮想広告収支のみが送信される（ステップＳ２０４）。
【０１００】
続いて、広告収支判定部１３ｂは、未だ利益停止条件が達成されていないと判定した場合（ステップＳ２０３のＮＯ）には、広告主情報記憶部１６ａの損失停止条件額フィールド１６７ａを参照し、広告主サイトにおいて提供される商品等の売上額が、広告費用を下回り、広告主の設定した損失停止条件額を超えている否かを判定する（ステップＳ２０５）。
【０１０１】
この判定の結果、損失停止条件額を超えていると判定された場合（ステップＳ２０５のＹＥＳ）には、広告媒体選択部１３ｃが、広告収支記憶部１６ｂを参照して、現在出稿中の広告と商品カテゴリが一致する広告のうち、例えば現在よりも広告費用の安い広告媒体情報を複数選択し、選択した広告媒体情報の広告媒体識別ＩＤを広告情報配信サーバ５における広告媒体情報提供部４３ｆに送信する（ステップＳ２０６）。
【０１０２】
尚、広告収支額が損失停止条件額を超えている場合に広告媒体選択部１３ｃにより選択される広告媒体情報としては、単に広告費用の安い広告媒体情報を提供するのみならず、その他に
広告収支履歴記憶部１６ｃを参照して、過去に出稿された広告のうち、ある広告については大幅な利益を上げた実績があるものの、別の広告出稿時の利益額の実績は低い、あるいは損失が出ているといった類の広告媒体情報を提供するようにしてもよい。
【０１０３】
広告媒体情報提供部４３ｆは、広告情報記憶部４６ａの広告媒体ステータスフィールド４７１ａを参照し、受信した広告媒体情報のうち現在空き状況である広告媒体情報及び空き予定状況のある広告媒体情報を広告情報管理部１３ａに送信する。また、広告媒体情報提供部４３ｆは、広告事例記憶部４６ｂを参照し、広告情報管理部１３ａに送信する広告媒体情報における過去の成功広告例を併せて送信する（ステップＳ２０７）。
【０１０４】
広告情報管理部１３ａは、この空き、あるいは空き予定の広告媒体情報、当該広告媒体情報についての過去の成功広告例を広告主端末２に送信するとともに、仮想収支作成部１３ｄが広告主端末２に仮想広告収支を送信する（ステップＳ２０８）。
【０１０５】
これにより、広告主は出稿した広告について損失限度である損失停止条件額に到達したことを確認することができ、これに基づき以降の広告戦略を策定することができる。また、一般に当該広告において損失が生じた場合であっても、広告主によっては、許容範囲内の損失額である場合も考えられることから、各広告主の広告に対する損失限度に達した際に広告媒体情報を提供することで、広告主毎に最適なタイミングで広告媒体情報を提供することができる。
また、当該広告における広告収支（損失）に応じた広告媒体情報や当該広告媒体情報についての過去の広告成功例を広告主に提供することができ、広告主は広告掲載終了前の効果的なタイミングで、以降の広告戦略を策定することができる。
【０１０６】
図１１に戻り、広告収支判定部１３ｂが、損失停止条件が達成されていないと判定した場合（ステップＳ２０５のＮＯ）、つまり、広告掲載期間終了の所定日数前の通知時において利益停止条件額を達成しておらず損失停止条件額にも到達していない場合には、仮想広告収支に基づいた広告媒体情報が広告主に提供される。
【０１０７】
すなわち、例えば仮想広告収支額が広告掲載期間終了時に利益停止条件額を超えるような場合には、広告媒体選択部１３ｃが、広告収支記憶部１６ｂを参照して、現在出稿中の広告と商品カテゴリが一致する広告のうち、現在より広告費用が高いものの商品等の売上額が大幅に高い実績をもつ広告媒体情報を複数選択し、選択した広告媒体情報の広告媒体ＩＤを広告情報配信サーバ５の広告媒体情報提供部４３ｆに送信する（ステップＳ２０９）。その他、例えば仮想広告収支額が広告掲載期間終了時に利益停止条件額及び損失停止条件額の何れにも達しないものと算出された場合には、現在出稿している広告とそれほど広告費用が変わらない別の広告媒体情報を複数選択する。
【０１０８】
広告媒体情報提供部４３ｆは、広告情報記憶部４６ａの広告媒体ステータスフィールド４７１ａを参照し、受信した広告媒体情報のうち現在空き状況である広告媒体情報及び空き予定状況のある広告媒体情報を広告情報管理部１３ａに送信する（ステップＳ２１０）。広告情報管理部１３ａは、この空き、あるいは空き予定の広告媒体情報を、おすすめ広告媒体情報として広告主端末２に送信するとともに、仮想広告収支を広告主端末２に送信する（ステップＳ２１１）。
【０１０９】
次に、本発明の第２の実施形態について図１３〜図１５及び第１の実施形態で用いた図６〜図１１を用いて説明する。
ここで、先ず第２の実施形態に係る発明についての概要を説明する。
第２の実施形態においては、広告主が現在出稿している広告についての広告収支額（仮想広告収支額も含む。）に基づき広告出稿継続の問合せや広告媒体情報の提供をするのみならず、広告主が過去に出稿した広告についての広告収支額や出稿履歴を考慮したうえで、広告主毎に、より最適化した広告媒体情報等を広告主に提供するものである。
【０１１０】
尚、第２の実施形態では、実際の過去の広告収支額を基準とするものではなく、広告主が過去の広告収支額に対して感じている効用を数値化し、これを基準点として、現在出稿している広告についての収支計算を行うものである。
例えば、過去の広告収支において特に利益額あるいは損失額が大きかった場合は、その際の印象に影響にされ、広告を出稿しようとする広告媒体を選択する場合に実際の過去の広告収支額とずれた額を基準点として広告を選ぶ傾向があるといえる。この実際の過去の広告収支額とずれた額を、第２の実施形態においては効用を数値化した効用額として説明する。
【０１１１】
図１３は、本発明の第２の実施形態における広告収支管理サーバ６００の構成を示す図であり、第１の実施形態と同一構成箇所については、同一番号を付し説明を省略する。
図１３に示すように、広告収支管理サーバ６００のハードディスクドライブ１６は、新たに出稿履歴記憶部１６ｄと、効用額記憶部１６ｅとしての機能を備える。
【０１１２】
出稿履歴記憶部１６ｄは、広告主毎の広告の出稿履歴を記憶する。すなわち、過去に出稿した広告の広告種別と、広告掲載サイトのＵＲＬと、広告を出稿した期間と、広告毎の利益額あるいは損失額と、これまでに出稿した広告の累計の広告収支額と、を広告主ＩＤと対応付けて記憶する。
効用額記憶部１６ｅは、効用額算出部１３ｅにより算出される、広告主が過去の広告収支額に対して感じている効用額を広告主ＩＤと対応付けて記憶する。
【０１１３】
また、第２の実施形態におけるＣＰＵ１３は、ハードディスクドライブ１６に格納されたプログラムを実行することにより、各部１４〜２０の動作を制御し、新たに効用額算出部１３ｅとしての機能を備える。
効用額算出部１３ｅは、出稿履歴記憶部１６ｄに記憶された過去の広告についての利益額あるいは損失額を参照して、広告主が過去の広告収支額に対して感じている効用額を算出する。
【０１１４】
ここで、図１４を参照して第２の実施形態における効用額の算出例について説明する。図１４は、出稿履歴記憶部に記憶された広告主の出稿履歴の一例を示す図ある。
先ず、第２の実施形態においては直近の過去５回の広告収支額に基づいて効用額を算出するものとする。図１４に示すように、出稿履歴中において利益を出した広告回数は３回であり、利益額の総計は９０万円である。従って、利益を出した広告の出稿１回当たりの平均利益額は、９０万円÷３回で３０万円である。一方、損失を出した広告回数は２回であり、損失額の総計は９０万円である。従って、損失を出した広告の出稿１回あたりの平均損失額は、９０万円÷２回で４５万円である。
【０１１５】
本例では、上述したように過去の広告収支において特に大きな利益額あるいは損失額が、広告主に対して影響を与え易いということに基づき、広告の出稿１回当たりの平均利益額あるいは平均損失額を超える広告収支額のみを加算することで効用額を算出する。すなわち、＋７０万円と−６０万円とを加算することで効用額＋１０万円を算出する。
一方、広告の出稿一回当たりの平均利益額あるいは平均損失額を超えてない広告収支額（本例では、利益額が＋３０万円以下、損失額が−４５万円以下）については、逓減の割合が高く効用額への影響は少ないものとして考慮しないものとする。
【０１１６】
尚、利益（損失）を出した広告の出稿１回当たりの平均利益額（平均損失額）を超える利益額（損失額）が一つもない場合には、直近過去５回の実際の広告収支額を基準点とする。
また、上記例は、直近の過去５回の広告収支額に基づいて効用額を算出するものとするものとしたが、その他に例えば、過去半年間の広告収支額に基づいて効用額を算出するようにしてもよい。
【０１１７】
次に、第２の実施形態に係る広告媒体情報提供処理の流れを図１５及び第１の実施形態で用いた図６〜図１１を用いて説明する。図１５は、本発明の第２の実施形態に係る広告媒体情報提供処理の流れを示すシーケンス図である。
尚、第２の実施形態において第１の実施形態と異なる処理が行われるのは、出稿履歴記憶部１６ｄの広告主が過去に出稿した広告種別や、効用額記憶部１６ｅに記憶された効用額を基準として、広告出稿継続の問合せや広告主に提供する広告媒体情報の選択を行う点のみであり、この点についてのみ詳細に説明し、第１の実施形態と同一の処理が行われる場合についての説明は省略する。
【０１１８】
先ず、第1の実施形態と同様、図６に示すステップＳ１〜ステップＳ５までの処理が行われる。
次に、図１５に示すようにステップＳ５の処理の後、ステップＳ５−１において、効用額算出部１３ｅが出稿履歴記憶部１６ｄを参照し効用額を算出し、効用額記憶部１６ｅに記憶する。
尚、広告出稿回数が５回に満たない場合（１回〜４回）には、実際の広告収支額を算出し、これを効用額として記憶する。また、過去に出稿履歴がない場合においては、効用額を０として記憶する。
続いて、第１の実施形態と同様、図６のステップＳ６〜図８のステップＳ２５までの処理が行われる。
【０１１９】
次のステップＳ２６においては、広告媒体選択部１３ｃは、効用額記憶部１６ｅに記憶された効用額と利益停止条件額とを加算した加算額により広告媒体情報を選択する。具体的には、効用額と今回の広告による利益額である利益停止条件額を加算した額が、マイナスの額である場合には、例えば現在出稿中の広告と商品カテゴリが一致する広告のうち、広告費用が現在の広告媒体よりも安く、かつ、売上額フィールド１７０ｂを参照して売上額の多い順に広告媒体情報を複数選択するようにする。
【０１２０】
また、効用額と利益停止条件額を加算した額が、プラスの額である場合には、第１の実施形態と同様に、広告収支記憶部１６ｂを参照して、現在出稿中の広告と商品カテゴリが一致する広告のうち、例えば広告費用を考慮することなく、売上額フィールド１７０ｂ参照して単純に売上額の多い広告媒体情報を順に複数選択し、選択した広告媒体情報の広告媒体識別ＩＤを広告情報配信サーバ５の広告媒体情報提供部４３ｆに送信する。以降は、第1の実施形態と同様、図８のステップＳ２７〜図９のステップＳ３８までの処理が行われる。
【０１２１】
次に、広告掲載期間が終了した場合の広告媒体情報の提供の流れであるが、先ず第１の実施形態と同様、図１０に示すステップＳ１０１〜ステップＳ１０４までの処理が行われる。
次のステップＳ１０５においては、広告媒体選択部１３ｃは、効用額記憶部１６ｅに記憶された効用額と今回の広告収支額とを加算した加算額により広告媒体情報を選択する。
【０１２２】
例えば、今回の広告収支額がマイナスの場合であっても、効用額を加算すると加算額が大幅にプラス額（例えば、今回設定されている利益停止条件額以上のプラス額）になる場合には、例えば現在出稿中の広告と商品カテゴリが一致する広告のうち、広告費用を考慮することなく、売上額フィールド１７０ｂ参照して単純に売上額の多い広告媒体情報を順に複数選択し、選択した広告媒体情報の広告媒体識別ＩＤを広告情報配信サーバ５の広告媒体情報提供部４３ｆに送信するようにする。
更に、このように今回の広告収支額と効用額とを加算した額がプラス額になる場合には、ステップＳ１０６の処理後ステップＳ１０７において、確定広告収支、おすすめ広告媒体情報に加え、現在の広告媒体に継続して出稿するか否かの問合せをするようにする。
【０１２３】
一方、例えば今回の広告収支額がプラスの場合であっても、効用額を加算すると加算額がマイナス額になる場合には、例えば現在出稿中の広告と商品カテゴリが一致する広告のうち、広告費用が現在の広告媒体よりも安く、かつ、売上額フィールド１７０ｂを参照して売上額の多い順に広告媒体情報を複数選択するようにする。この場合、以降のステップＳ１０６、ステップＳ１０７は、第１の実施形態と同様の処理が行われる。
【０１２４】
次に、広告掲載期間終了の所定日数前の通知時における広告媒体情報の提供の流れであるが、先ず第１の実施形態と同様、図１１に示すステップＳ２０１〜ステップＳ２０５までの処理が行われる。
ステップＳ２０６においては、広告媒体選択部１３ｃは、効用額記憶部１６ｅに記憶された効用額と損失停止条件額とを加算した加算額により広告媒体情報を選択する。
【０１２５】
具体的には、効用額と今回の広告による損失額である損失停止条件額を加算した額が、プラスの額である場合には、現在出稿中の広告と商品カテゴリが一致する広告のうち、例えば広告費用は現在広告を出稿中の広告媒体と変わらず、かつ、商品等の売上額フィールド１７０ｂを参照して売上額の多い順に広告媒体情報を複数選択するようにする。
【０１２６】
更に、このように今回の広告による損失額と効用額とを加算した額がプラス額になる場合には、ステップＳ２０７の処理後ステップＳ２０８において、仮想広告収支、おすすめ広告媒体情報、成功広告例に加え、現在の広告媒体に継続して出稿するか否かの問合せをするようにする。
【０１２７】
また、効用額と損失停止条件額を加算した額が、マイナスの額である場合には、第１の実施形態と同様に、広告収支記憶部１６ｂを参照して、現在出稿中の広告と商品カテゴリが一致する広告のうち、例えば現在よりも広告費用の安い広告媒体情報を複数選択し、選択した広告媒体情報の広告媒体識別ＩＤを広告情報配信サーバ５における広告媒体情報提供部４３ｆに送信する。この場合、以降のステップＳ２０７、ステップＳ２０８は、第１の実施形態と同様の処理が行われる。
【０１２８】
続くステップＳ２０９においても、広告媒体選択部１３ｃは、効用額記憶部１６ｅに記憶された効用額と仮想広告収支額とを加算した加算額により広告媒体情報を選択する。
例えば、仮想広告収支額がマイナスの場合であっても、効用額を加算すると加算額が大幅にプラス額（例えば、今回設定されている利益停止条件額以上のプラス額）になる場合には、例えば現在出稿中の広告と商品カテゴリが一致する広告のうち、広告費用を考慮することなく、売上額フィールド１７０ｂ参照して単純に売上額の多い広告媒体情報を順に複数選択し、選択した広告媒体情報の広告媒体識別ＩＤを広告情報配信サーバ５の広告媒体情報提供部４３ｆに送信するようにする。
【０１２９】
更に、このように仮想広告収支額と効用額とを加算した額がプラス額になる場合には、ステップＳ２１０の処理後ステップＳ２１１において、仮想広告収支、おすすめ広告媒体情報に加え、現在の広告媒体に継続して出稿するか否かの問合せをするようにする。
【０１３０】
また、上述したステップＳ２６、ステップＳ１０５、ステップＳ２０６、ステップＳ２０９において、広告媒体選択部１３ｃが広告媒体情報を選択する際に、更に出稿履歴記憶部１６ｄの過去に出稿した広告の広告種別を考慮して広告媒体情報を選択するようにしてもよい。
例えば、過去１０回の広告の出稿履歴を参照した結果、当該広告主はメールマガジン型広告を出稿した回数が最も多いという場合には、広告収支記憶部１６ｂの広告種別フィールド１６２ｂを参照し、メールマガジン型広告を優先的に選択するようにする。これにより、広告主の広告形態の嗜好に応じた広告媒体情報を、広告主毎に最適化して提供することができる。
【０１３１】
以上の第２の実施形態によれば、広告主が実際の過去の広告収支とずれた効用を感じている場合であっても、各広告主の効用を反映した最適な広告媒体情報を提供することができる。
【０１３２】
以上、本発明を実施形態に基づいて説明したが、本発明は上述した実施の形態に限られず、他の様々な態様に適用可能である。
上記実施の形態では、広告主の広告情報として、広告掲載Ｗｅｂサーバにより提供される広告掲載Ｗｅｂサイト上の広告情報を例に説明したが、例えば、メールマガジン等の電子メールに広告情報を掲載するような場合であってもよい。
【０１３３】
また、上記実施の形態では、広告掲載終了時に当該広告が所定の成果を挙げたものであるか否かの判定をする基準としてＲＯＩを基準としたが、本発明はこれに限られず、例えば、売上額、利益額、総クリック数、１クリック単価等を基準として所定の成果を挙げたものか否かの判断をするようにしてもよい。
【０１３４】
また、上記実施の形態では、利益停止条件を達成している場合には、広告費用を考慮することなく売上額の高い実績をもつ広告媒体情報を広告主端末２に送信するものとしていたが、本発明はこれに限られず、おすすめ広告媒体情報としては、利益額の高い広告媒体情報であっても、総クリック数、１クリック単価の良い広告媒体情報であってもよい。
【０１３５】
また、上記実施の形態では、広告の掲載期間が決まっている、いわゆる期間保証型の広告を例に説明し、広告掲載期間のうち所定の期間の経過時に通知をし、通知時に仮想広告収支を作成したり、各広告主が設定する損失停止条件額に到達したか否かを判定したりするものとしたが、例えば、広告に対するクリック数を保証するクリック保証型の広告の場合には、保証されたクリック回数のうち、広告が所定回のクリックされた際に通知をし、この際仮想収支作成や、損失停止条件額への到達有無を判定するようにすればよい。また、所定の表示回数を保証するインプレッション保証型の広告についても、保証される表示回数のうち、広告が所定回表示された際に通知をし、この際仮想収支作成や、損失停止条件額への到達有無を判定するように構成すればよい。
【図面の簡単な説明】
【０１３６】
【図１】本発明の実施形態に係る広告媒体情報提供システムの構成図である。
【図２】本発明の実施形態に係る広告収支管理サーバの構成図である。
【図３】本発明の実施形態に係る広告主情報及び広告収支情報の一例を示す図である
【図４】本発明の実施形態に係る広告情報配信サーバの構成図である。
【図５】本発明の実施形態に係る広告情報の一例を示す図である。
【図６】本発明の実施形態に係る広告媒体情報提供処理の流れを示す第１のシーケンス図である。
【図７】本発明の実施形態に係る広告媒体情報提供処理の流れを示す第２のシーケンス図である。
【図８】本発明の実施形態に係る広告媒体情報提供処理の流れを示す第３のシーケンス図である。
【図９】本発明の実施形態に係る広告媒体情報提供処理の流れを示す第３のシーケンス図である。
【図１０】本発明の実施形態に係る広告掲載期間終了後における広告媒体情報提供処理の流れを示すシーケンス図である。
【図１１】本発明の実施形態に係る広告掲載期間終了の所定日数前の通知時における広告媒体情報提供処理の流れを示すシーケンス図である。
【図１２】本発明の実施形態に係る広告を継続して出稿するか否かの問い合わせ及びおすすめ広告媒体情報の広告主端末における表示例を示す図である。
【図１３】本発明の第２の実施形態に係る広告収支管理サーバの構成図である。
【図１４】本発明の第２の実施形態に係る出稿履歴記憶部に記憶された広告主の出稿履歴の一例を示す図である。
【図１５】本発明の第２の実施形態に係る広告媒体情報提供処理の流れを示すシーケンス図である。
【符号の説明】
【０１３７】
１  広告媒体情報提供システム、２  広告主端末、３  広告主サーバ、４  広告掲載Ｗｅｂサーバ、５  広告情報配信サーバ、６、６００  広告収支管理サーバ、７  ユーザ端末、８  ネットワーク、１０  サーバ本体、１１  表示装置、１２  入力装置、１３  ＣＰＵ、１３ａ  広告情報管理部、１３ｂ  広告収支判定部、１３ｃ  広告媒体選択部、１３ｄ  仮想収支作成部、１３ｅ  効用額算出部、１４  ＲＯＭ、１５  ＲＡＭ、１６  ハードディスクドライブ、１６ａ  広告主情報記憶部、１６ｂ  広告収支記憶部、１６ｃ  広告収支履歴記憶部、１６ｄ  出稿履歴記憶部、１６ｅ  効用額記憶部、１７  表示処理部、１８  入力インターフェース、１９  コンボドライブ、２０  外部インターフェース、２１  バス、２２  記録媒体、４０  サーバ本体、４１  表示装置、４２  入力装置、４３  ＣＰＵ、４３ａ  広告情報受付部  ４３ｂ  広告情報抽出部、４３ｃ  配信部、４３ｄ  詳細要求対応部、４３ｅ  広告スケジュール管理部、４３ｆ  広告媒体情報提供部、４３ｇ  広告事例登録部、４４  ＲＯＭ、４５  ＲＡＭ、４６  ハードディスクドライブ、４６ａ  広告情報記憶部、４６ｂ  広告事例記憶部、４６ｃ  レース情報記憶部、４６ｄ  広告履歴記憶部、４７  表示処理部、４８  入力インターフェース、４９  コンボドライブ、５０  外部インターフェース、５１  バス、７０  問合せ表示領域、７１  広告媒体情報表示領域。
【図１】
2007109265.tif 000003
【図２】
2007109265.tif 000004
【図３】
2007109265.tif 000005
【図４】
2007109265.tif 000006
【図５】
2007109265.tif 000007
【図６】
2007109265.tif 000008
【図７】
2007109265.tif 000009
【図８】
2007109265.tif 000010
【図９】
2007109265.tif 000011
【図１０】
2007109265.tif 000012
【図１１】
2007109265.tif 000013
【図１２】
2007109265.tif 000014
【図１３】
2007109265.tif 000015
【図１４】
2007109265.tif 000016
【図１５】
2007109265.tif 000017